(57)【要約】【課題】  屋根の積雪氷塊を自然熱と金網で消雪解凍する。【解決手段】  屋根１や軒樋３を一連の金網４で被い、その金網４を軒先２より吊り下げたり、軒樋３に巻きつけたことで、金網が自然熱を吸収し熱伝導で屋根１や軒樋３の積雪氷塊を消雪解凍する、更に、金網４で軒樋３を覆ったことで小鳥の進入や落ち葉やゴミを防ぐことができる屋根消雪装置。【選択図】図１
2008019690.tif 000002
【特許請求の範囲】
【請求項１】
屋根消雪装置おいて、屋根（１）軒先（２）軒樋（３）を一連の金網（４）で被設し、該屋根（１）の棟より下部の軒先（２）近傍へ平行に滑り止め用山形鋼材（５）を設け、該山形鋼材（５）に金網（４）の上辺を係止する、該金網（４）の下辺を延伸し軒樋（３）に巻きつけ係止、又は、該金網（４）を軒先（２）より吊り下げ係止する、該金網（４）は自然熱を吸収し熱伝導で屋根（１）軒先（２）軒樋（３）の積雪氷塊を消雪解凍することを特徴とする構成の屋根消雪装置。
【請求項２】
屋根（１）全体を金網（４）で被設し、該金網を屋根（１）各辺に巻きつけ係止、又は、屋根（１）各辺に吊り下げ係止したことを特徴とする構成で請求項１記載の屋根消雪装置。
【発明の詳細な説明】
【技術分野】
【０００１】  本発明は、金網を用い自然熱を利用し、屋根及び軒樋の積雪氷塊を消雪解凍し、さらに、軒樋に入る落ち葉やゴミを防ぐことができる屋根消雪装置に関するものである。
【背景技術】
【０００２】  屋根の消雪融雪には、人工加熱で消雪融雪解凍する方法と、自然熱を利用して消雪融雪解凍する方法がある、そして従来は屋根の消雪用金網と軒樋を被う金網は別々に作られ使用されている。【０００３】  従来の屋根消雪融雪装置で、本発明に近い内容は以下の０００４〜００１１である。【０００４】  発明の名称、消雪屋根では、金網若しくはパンチングメタル板を断面逆Ｖ型形状に折曲形成して構成したものがある。（例えば、特許文献１参照）【０００５】  発明の名称、屋根用雪止具では、雪を細分化するための金網や多数の孔を有する板材などの融雪材を着脱自在に連結したもの。（例えば、特許文献２参照）【０００６】  考案の名称、軒先消雪装置では、枠体に金網を張設したもの。（例えば、特許文献３参照）【０００７】  考案の名称、消切板付きの軒先消雪具では、直角三角形状に金網を傾斜に張設したもの。（例えば、特許文献４参照）【０００８】  発明の名称、屋根融雪装置では、金属棒やヒートパイプを用いて軒先に接触させ融雪する構成としたもの。（例えば、特許文献５参照）【０００９】  考案の名称、軒先融雪器では、雪止めの型を半涙滴形として太陽熱を多く吸収するようにしたもの。（例えば、特許文献６参照）【００１０】  考案の名称、融雪屋根構造では、網状体を単に張り設、又は、複数層に張り設した構成のものがある。（例えば、特許文献７参照）【００１１】  融雪商品では、岐阜県高山市のコージエリアのツララシラズ（金網タイプ）である。（例えば、非特許文献８参照）
【特許文献１】特開平１１−１９０１５０号公報（第１項、図１）
【特許文献２】特許公開２００５−１０５７７９号公報（第７項、図１）
【特許文献３】登録実用新案第３０１８５８８号公報（第１項、図１）
【特許文献４】実用新案公開平０７−０１３９４０号公報（第１項、図１）
【特許文献５】特許公開平６−４２１２２号（第２項、図１）
【特許文献６】登録実用新案第３０２１１８０号公報（第１項、図１）
【特許文献７】登録実用新案  実開平５−１０６６１公報（第１項、図１）
【非特許文献８】ウエブ検索  屋根融雪（第  項、図）
【発明の開示】
【発明が解決しようとする課題】
【００１２】  屋根の積雪氷塊を自然熱と金網で消雪解凍する。
【課題を解決するための手段】
【００１３】  本発明は屋根の消雪装置の基本的な構成を分かりやすいように各請求項と一実施例である各図に基づいて説明する。【００１４】  請求項１、図１図２は傾斜の屋根１で軒先２に軒樋３を設けた構造の家屋、屋根１軒先２軒樋３の積雪氷塊を消雪解凍するため、屋根１軒先２軒樋３を一連の金網４で被設し、軒樋３に巻きつけた構造を示している、傾斜の屋根１棟より下方で軒先２近傍へ軒先２と平行に滑り止め用山形鋼材５を設け、この滑り止め用山形鋼材５に金網４の上辺を係止する、そして金網４の下辺は軒先２下部の垂木、野地板、破風板、軒樋保持具等に係止する、その係止する方法は公知の方法を用いればよい、屋根１軒先２軒樋３の積雪氷塊を消雪解凍するため、軒樋３にゆるく巻きつけた金網４が自然熱を吸収し金網４を介して熱伝導が金網４全体に伝導し、屋根１軒先２軒樋３の積雪氷塊を消雪解凍する、更に、金網４の一部が積雪氷塊中より露出すると露出した金網４部分から自然熱を吸収し金網４に接する積雪氷塊を消雪解凍する。【００１５】  更に、軒樋３が一連の金網４で被われたことで落ち葉やゴミの進入を防ぐ。【００１６】  請求項１、図３は、傾斜の屋根１軒先２軒樋３に金網４を被設し、軒先２より吊り下げた構造を示している、金網４を吊り下げたことで、金網４が自然熱を吸収し金網を介して熱伝導が金網４全体に伝導し、屋根１軒先２軒樋３の積雪氷塊を消雪解凍する。【００１７】  請求項２、図４は、傾斜の屋根１の物置等で室内が保温されていない家屋は、屋根１全体を金網４で被設延伸し、金網４を屋根１各辺に吊り下げた構造を示している、吊り下げられた金網４が自然熱を吸収し金網４を介して熱伝導が金網４全体に伝導し、屋根１の積雪氷塊を消雪解凍する。【００１８】  屋根１を金網４で被設延伸し巻きつける、又は、吊るす長さは、施工する地域の環境を考慮して決定する。【００１９】  金網４は市販されている金網４で、使用場所とその目的に合う金網４を選択し使用する。
【発明の効果】
【００２０】  本発明は、屋根１軒先２軒樋３上の積雪氷塊を消雪解凍するもので、屋根１軒先２軒樋３を一連の金網４で被い、更に、金網４を屋根１より延伸し軒樋３にゆるく巻いたり、金網４を軒先２より延伸し吊り下げたことで、軒先２より延伸した金網４が自然熱を吸収して、その自然熱が金網４を介して熱伝導で屋根１と軒先２と軒樋３の積雪氷塊を消雪解凍して結氷によるスガモレを無くし屋根１の損壊や軒樋３の破損を防ぐことができる。更に、屋根１全体と軒先２裏まで金網４で被うと小鳥の侵入を防ぐ、軒樋３に巻かれた金網４で落ち葉やゴミの進入を防ぐことができる効果がある。
【発明を実施するための最良の形態】
【００２１】  本発明の実施の一例で図１は、屋根１の棟より下部の軒先２近傍へ滑り止め用山形鋼材５を軒先２と平行して設け、その山形鋼材５に金網４の上辺を係止する、軒樋３に金網４を巻きつけた金網４の下辺は軒先１下部の垂木、野地板、破風板、軒樋保持具等に係止する、金網４は屋根面に張り、軒樋３に平行でゆるく巻きつけた構造の斜視図である。
そして、滑り止め鋼材を山形鋼材５と表記したが、仕様状況により滑り止めの効果を有する材料又は素材で構成してもよい。【００２２】  本発明の実施の一例で図２は、屋根１の軒先２と軒樋３に金網４を被うもので、屋根１には金網４を屋根１の軒先上面に平らに張り、軒樋３に平行でゆるく巻き付ける、巻きつける円周は約３００ｍｍとした構造の側面図である。【００２３】  本発明の実施の一例で図３は、屋根１の軒先２と軒樋３に平行して金網４を被うもので、その一連の金網４を軒樋３の先端と平行に吊り下げる、吊り下げる長さは約３００ｍｍとした構造の側面図である。【００２４】  本発明の実施の一例で図４は、倉庫物置等の室内が加温保温されていない建物は内部から放熱がない、そのため、屋根１全体を消雪解凍するには屋根１全体を金網４で被い、更に、屋根１各辺より吊り下げた構造とした側面図である。
【産業上の利用可能性】
【００２５】  本発明は、主に、家屋等の建物に付いて表して説明をしてきたが、積雪が被い被さっては困るようなものに利用でき、トタン板や波板樹脂等の被覆物にも金網４を被い延伸したことで、消雪解凍を早めることができる。
【図面の簡単な説明】
【００２６】
【図１】この発明の実施例で屋根消雪装置の仕様を示す斜視図である。（実施例１）
【図２】この発明の実施例で金網を樋に巻いた状態を示す側面図である。（実施例２）
【図３】この発明の実施例で金網を軒先より吊り下げた状態を示す側面図である。（実施例３）
【図４】この発明の実施例で屋根全体に金網を被い更に吊り下げた状態を示す側面図である。（実施例４）
【符号の説明】
【００２７】  １    屋根
２    軒先
３    軒樋
４    金網
５    山形鋼材
【図１】
2008019690.tif 000003
【図２】
2008019690.tif 000004
【図３】
2008019690.tif 000005
【図４】
2008019690.tif 000006